(57)【要約】【課題】  草刈り機において、ブロアを備えた場合に、刈刃によって刈り取られた刈り草が、できるだけ失速せずに刈刃ハウジングの排出口から出口ダクト及び壁部を介してブロアに達するように構成する。【解決手段】  刈刃によって刈り取られた刈り草が、刈刃ハウジング１１の排出口１１ｃから出口ダクト３１に排出され、出口ダクト３１とブロア３２とを接続する壁部３４に沿って、ブロア３２により集草部に搬送される。出口ダクト３１の天井部３１ａにおける壁部３４から離れた部分３１ｂから壁部３４に向って、斜め上方に向って延出される天井部３８ａを備え下側が開放された斜め通路３８を形成する。【選択図】        図６
2008092894.tif 000002
【特許請求の範囲】
【請求項１】
縦軸芯周りに回転駆動される刈刃を内装する刈刃ハウジングの横側部に排出口を備えて、前記刈刃ハウジングの排出口に出口ダクトを接続し、回転駆動されるブロアを前記出口ダクトの上部に備えて、
前記刈刃によって刈り取られた刈り草が、前記刈刃ハウジングの排出口から出口ダクトに排出され、前記出口ダクトとブロアとを接続する壁部に沿って、ブロアにより集草部に搬送されるように構成すると共に、
前記出口ダクトの天井部における壁部から離れた部分から壁部に向って、斜め上方に向って延出される天井部を備え下側が開放された斜め通路を形成してある草刈り機。
【請求項２】
前記刈刃によって刈り取られた刈り草が、前記刈刃ハウジングの前壁部に沿って刈刃ハウジングの排出口から出口ダクトに排出されるように、前記刈刃の回転方向を設定すると共に、
前記出口ダクトの天井部における壁部から離れた部分を、前記刈刃ハウジングの前壁部側に設定して、前記出口ダクトの天井部における壁部から離れた部分から壁部に向って、前記斜め通路を延出してある請求項１に記載の草刈り機。
【発明の詳細な説明】
【技術分野】
【０００１】
本発明は、縦軸芯周りに回転駆動される刈刃を刈刃ハウジングに内装してモーアを構成し、モーアを機体の前部（前輪の前方）や機体の中央部（前輪及び後輪の間）に備えた草刈り機に関する。
【背景技術】
【０００２】
草刈り機では例えば特許文献１に開示されているように、刈刃ハウジング（特許文献１の図２，３，４，５のＭ，１５）の横側部に排出口（特許文献１の図６のｄ）を備えて、刈刃ハウジングの排出口に出口ダクト（特許文献１の図６のｄに接続される紙面右側の部分）を接続し、ブロア（特許文献１の図３，４，５，６のＢ，３２）を出口ダクトの上部に備えているものがある（特許文献１の図６参照）。
【０００３】
この場合、特許文献１では、出口ダクトとブロア（特許文献１の図５及び図６のＢ，３２）とが、半円状の壁部（特許文献１の図６においてｄの紙面右上側の部分と３１，３２との間の部分）（特許文献１の図５において１５とＢ，３２との間の部分）により接続されている。これにより、刈刃によって刈り取られた刈り草が、刈刃ハウジングの排出口から出口ダクトに排出され壁部に沿って、ブロアにより集草部（特許文献１の図１及び図２の８）に搬送される。
【０００４】
【特許文献１】特開２００５−５８１２６号公報
【発明の開示】
【発明が解決しようとする課題】
【０００５】
特許文献１では、出口ダクトの水平な天井部に半円状の壁部が垂直に連結された状態（出口ダクトの天井部と壁部とが直交する状態）となっている（特許文献１の図６参照）。これにより、刈刃によって刈り取られた刈り草が、刈刃ハウジングの排出口から出口ダクトに排出されて出口ダクトの天井部及び壁部に沿って移動する際、出口ダクトの天井部から壁部に移動しようとする刈り草は、出口ダクトの天井部と壁部との接続部分で急角度で上方に向きを変える状態となり、刈り草が失速し易くなるので、刈り草の搬送効率と言う面で改善の余地がある。
【０００６】
本発明は、縦軸芯周りに回転駆動される刈刃を刈刃ハウジングに内装してモーアを構成した草刈り機において、ブロアを備えた場合、刈刃によって刈り取られた刈り草が、できるだけ失速せずに刈刃ハウジングの排出口から出口ダクト及び壁部を介して、ブロアに達するように構成することを目的としている。
【課題を解決するための手段】
【０００７】
［Ｉ］
（構成）
本発明の第１特徴は、草刈り機において次のように構成することにある。
縦軸芯周りに回転駆動される刈刃を内装する刈刃ハウジングの横側部に排出口を備え、刈刃ハウジングの排出口に出口ダクトを接続し、回転駆動されるブロアを出口ダクトの上部に備える。刈刃によって刈り取られた刈り草が、刈刃ハウジングの排出口から出口ダクトに排出され、出口ダクトとブロアとを接続する壁部に沿って、ブロアにより集草部に搬送されるように構成する。出口ダクトの天井部における壁部から離れた部分から壁部に向って斜め上方に向って延出される天井部を備え下側が開放された斜め通路を形成する。
【０００８】
（作用）
本発明の第１特徴によると、例えば図６，１０，１１に示すように、斜め通路３８の天井部３８ａが側面視で直線状である場合、刈刃によって刈り取られた刈り草が、刈刃ハウジング１１の排出口１１ｃから出口ダクト３１に排出されて出口ダクト３１の天井部３１ａ及び壁部３４に沿って移動する際、出口ダクト３１の天井部３１ａ及び壁部３４に沿って移動しようとする刈り草は、比較的緩やかな角度で上方に向きを変えながら、出口ダクト３１の天井部３１ａから斜め通路３８に沿って移動し、比較的緩やかな角度で上方に向きを変えながら、斜め通路３８から壁部３４に沿って移動する。
例えば斜め通路の天井部が側面視で下側に凸の円弧状であれば、出口ダクトの天井部及び壁部に沿って移動しようとする刈り草は、出口ダクトの天井部から斜め通路に沿って移動し、比較的緩やかな角度で連続的に上方に向きを変えながら、斜め通路から壁部に沿って移動する。
【０００９】
以上のように、本発明の第１特徴によると、刈刃によって刈り取られた刈り草が、刈刃ハウジングの排出口から出口ダクトに排出されて出口ダクトから壁部に沿って移動する際に、急角度で上方に向きを変えるのではなく、比較的緩やかな角度で上方に向きを変える状態となるので、刈り草が失速し難いものとなる。これにより、刈り草が失速せずにブロアに達して、ブロアにより集草部に効率良く搬送される。
【００１０】
（発明の効果）
本発明の第１特徴によると、縦軸芯周りに回転駆動される刈刃を刈刃ハウジングに内装してモーアを構成した草刈り機において、ブロアを備えた場合、刈刃によって刈り取られた刈り草の失速を抑えながら、刈り草が刈刃ハウジングの排出口から出口ダクト及び斜め通路、壁部に沿って移動するように構成することができ、刈り草がブロアにより集草部に効率良く搬送されるようになって、刈り草の搬送効率を高めることができ、草刈り機の集草性能を向上させることができた。
【００１１】
［ＩＩ］
（構成）
本発明の第２特徴は、本発明の第１特徴の草刈り機において次のように構成することにある。
刈刃によって刈り取られた刈り草が、刈刃ハウジングの前壁部に沿って刈刃ハウジングの排出口から出口ダクトに排出されるように、刈刃の回転方向を設定する。出口ダクトの天井部における壁部から離れた部分を、刈刃ハウジングの前壁部側に設定して、出口ダクトの天井部における壁部から離れた部分から壁部に向って、斜め通路を延出する。
【００１２】
（作用）
本発明の第２特徴によると、本発明の第１特徴と同様に前項［Ｉ］に記載の「作用」を備えており、これに加えて以下のような「作用」を備えている。
縦軸芯周りに回転駆動される刈刃を刈刃ハウジングに内装してモーアを構成した場合、例えば図３，４，５に示すように、刈刃ハウジング１１の右横側部に排出口１１ｃを備えると、刈刃の回転方向を紙面時計方向（矢印Ｙ１）に設定して、刈刃１２，１３，１４によって刈り取られた刈り草が、刈刃ハウジング１１の前壁部１１ｄに沿って刈刃ハウジング１１の排出口１１ｃから出口ダクト３１に排出されるように構成することが多い。
【００１３】
本発明の第２特徴によると、例えば図３，４，５に示すように、出口ダクト３１の天井部３１ａにおける壁部３４から離れた部分３１ｂにおいて、刈刃ハウジング１１の前壁部１１ｄ側の部分３１ｂから斜め通路３８を壁部３４に向って延出している。これにより、前述のように、刈刃１２，１３，１４によって刈り取られた刈り草が、刈刃ハウジング１１の前壁部１１ｄに沿って刈刃ハウジング１１の排出口１１ｃから出口ダクト３１に排出されると（矢印Ｙ３参照）、刈り草が外れること少なく斜め通路３８に入り込むようになるのであり、刈り草が失速少なく斜め通路３８に入り込むようになる。
【００１４】
（発明の効果）
本発明の第２特徴によると、本発明の第１特徴と同様に前項［Ｉ］に記載の「発明の効果」を備えており、これに加えて以下のような「発明の効果」を備えている。
本発明の第２特徴によると、刈刃によって刈り取られた刈り草が外れること少なく斜め通路に入り込むようになり、刈り草が失速少なく斜め通路に入り込むようになり、刈り草がブロアにより集草部に効率良く搬送されるようになって、刈り草の搬送効率を高めることができ、草刈り機の集草性能を向上させることができた。
【発明を実施するための最良の形態】
【００１５】
［１］
図１及び図２に示すように、右及び左の前輪１、右及び左の後輪２によって支持された機体の中央下部にモーア３が支持され、機体の後部上部に運転座席４及びロプスフレーム５が備えられおり、機体の後部にエンジン６が支持され、機体の後部の右及び左側部に袋状の集草部７が支持されて、乗用型の草刈り機が構成されている。
【００１６】
図１及び図２に示すように、機体の前部に前輪支持フレーム８が支持され、前輪支持フレーム８の右及び左横側部の縦軸芯Ｐ１周りに、右及び左の前輪１が自由に向き変更自在に支持されている（キャスター車輪型式）。エンジン６の前側にミッションケース９が支持され、ミッションケース９に右及び左の後輪２が支持されており、右の後輪２を変速操作する右の静油圧式無段変速装置（図示せず）、及び左の後輪２を変速操作する左の静油圧式無段変速装置（図示せず）がミッションケース９に備えられている。エンジン６の動力がミッションケース９に伝達され、右及び左の静油圧式無段変速装置に伝達されて、右及び左の後輪２が駆動される。
【００１７】
図１及び図２に示すように、右及び左の静油圧式無段変速装置は、前進の高速側及び後進の高速側、中立停止位置に無段階に変速自在に構成されており、右及び左の静油圧式無段変速装置を独立に操作する右及び左の操作レバー１０が備えられている。これにより、右及び左の操作レバー１０によって右及び左の静油圧式無段変速装置を独立に操作し、右及び左の後輪２を独立に前進及び後進側に操作することによって、前進及び後進や停止、右及び左旋回、右及び左の信地旋回を行うことができる。
【００１８】
［２］
次に、モーア３について説明する。
図１及び図３に示すように、金属製の刈刃ハウジング１１の内部に、縦軸芯周りに回転駆動されるブレード状の３枚の刈刃１２，１３，１４が、左右方向に並べて配置されており、刈刃ハウジング１１の前部及び後部に障害物乗り越え用の車輪１５（アンチスキャルプローラー）が支持されている。図５及び図６に示すように、刈刃ハウジング１１の右横側部が大きく開放されて、刈刃ハウジング１１の排出口１１ｃが形成されている。図３及び図１２に示すように、縦壁状の前バッフル５９が刈刃１２，１３の前側の軌跡に沿うように半円状に形成されて、刈刃ハウジング１１の天井部に連結されており、刈刃１４の前側において、前バッフル５９が刈刃ハウジング１１の前壁部１１ｄの内面に沿うように刈刃ハウジング１１の天井部に連結されている。縦壁状の後バッフル６０が刈刃１２，１３，１４の後側の軌跡に沿うように半円状に形成されて、刈刃ハウジング１１の天井部に連結されている。
【００１９】
図１及び図３に示すように、刈刃ハウジング１１の天井部の４箇所にブラケット１１ａ，１１ｂが固定されており、機体に上下揺動自在に支持された右及び左の前リンク１６が刈刃ハウジング１１のブラケット１１ａに揺動自在に接続され、機体に上下揺動自在に支持された右及び左の後リンク１７が刈刃ハウジング１１のブラケット１１ｂに揺動自在に接続されている。右の前及び後リンク１６，１７の端部に亘って右の下リンク１８が接続されて、左の前及び後リンク１６，１７の端部に亘って左の下リンク１８が接続されており、右及び左の後リンク１７に連結された駆動アーム１９に油圧シリンダ２０が接続されている。これにより、油圧シリンダ２０を伸縮作動させることにより、前及び後リンク１６，１７を介してモーア３を昇降駆動することができる。
【００２０】
図３及び図１２に示すように、刈刃ハウジング１１の天井部の中央上部に伝動ケース２１が支持され、刈刃１３の駆動軸１３ａが刈刃ハウジング１１の天井部を通って上方に延出されて伝動ケース２１に入り込んでおり、刈刃ハウジング１１の天井部と伝動ケース２１との間の隙間に位置するように、プーリー１３ｂが刈刃１３の駆動軸１３ａに固定されている。エンジン６の動力がミッションケース９の出力軸９ａから、伝動軸２２を介して伝動ケース２１の入力軸２１ａに伝達されており、伝動ケース２１の入力軸２１ａのベベルギヤ２１ｂ、及び刈刃１３の駆動軸１３ａのベベルギヤ１３ｃを介して、刈刃１３の駆動軸１３ａに伝達されている。
【００２１】
図３に示すように、刈刃１２，１４の駆動軸１２ａ，１４ａが刈刃ハウジング１１の天井部を通って上方に延出されて、刈刃１２，１４の駆動軸１２ａ，１４ａの上部にプーリー１２ｂ，１４ｂが固定されており、刈刃１２，１３，１４のプーリー１２ｂ，１３ｂ，１４ｂに亘って、１本の伝動ベルト２３が巻回されている。刈刃ハウジング１１の天井部の縦軸芯Ｐ２周りにテンションアーム２４が揺動自在に支持され、テンションアーム２４にテンションプーリー２５が回転自在に支持されて、伝動ベルト２３がテンションプーリー２５に巻回されており、伝動ベルト２３の張り側に付勢するバネ２６がテンションアーム２４に接続されている。
【００２２】
図３に示すように、エンジン６の動力が、ミッションケース９の出力軸９ａ、伝動軸２２、伝動ケース２１を介して刈刃１３の駆動軸１３ａに伝達され、伝動ベルト２３を介して刈刃１２，１４の駆動軸１２ａ，１４ａに伝達されて、刈刃１２，１３，１４が図３の矢印Ｙ１（図３の紙面時計方向）に回転駆動される。これにより、刈刃１２，１３，１４によって刈り取られた刈り草が、刈刃１２，１３，１４の起風作用により、刈刃ハウジング１１の前壁部１１ｄ及び前バッフル５９の内面に集められ、刈刃ハウジング１１の前壁部１１ｄ（前バッフル５９）に沿って刈刃ハウジング１１の排出口１１ｃに向って搬送される。
【００２３】
図３，１２，１３に示すように、断面Ｌ字状で細長いアングル部材状の吹き出し防止部材２７が、刈刃ハウジング１１の前壁部１１ｄの内面の略全長に亘ってボルト２８により固定されており、刈刃ハウジング１１の前壁部１１ｄの下端部と吹き出し防止部材２７の下端部とが略同じ高さに位置している。ゴム板製の吹き出し防止部材２９が、吹き出し防止部材２７に挟み込まれるように刈刃ハウジング１１の前壁部１１ｄの内面の略全長に亘って固定されており、刈刃ハウジング１１の前壁部１１ｄの下端部及び吹き出し防止部材２７の下端部よりも、吹き出し防止部材２９が下方に突出している。
【００２４】
これにより、図３，１２，１３に示すように、刈刃１２，１３，１４によって刈り取られた刈り草及び刈刃１２，１３，１４の起風作用による風が、刈刃ハウジング１１の前壁部１１ｄの下側から前方に漏れ出ようとしても、吹き出し防止部材２７，２９によって防止される。この場合、吹き出し防止部材２９の複数箇所に上下向きのスリット２９ａが形成され、ボルト２８を吹き出し防止部材２９のスリット２９ａに入り込ませて、吹き出し防止部材２９が固定されており、刈刃ハウジング１１の前壁部１１ｄに対する吹き出し防止部材２９の高さ調節、及び吹き出し防止部材２９の交換が容易に行える。
【００２５】
図１，２，３に示すように、草刈り機では一般に、機体の左側（刈刃ハウジング１１の排出口１１ｃとは反対側）から乗降することが多い。この場合、乗降の際に誤って刈刃１２のプーリー１２ｂや伝動ベルト２３を踏まないように、刈刃１２のプーリー１２ｂや伝動ベルト２３の一部を覆うカバー３０が、刈刃ハウジング１１の天井部に取り付けられている。
【００２６】
図１４及び図１５（イ）（ロ）に示すように、カバー３０は合成樹脂製により箱の蓋状に構成されて、カバー３０の内面の複数箇所に円筒状の柱部３０ａが一体的に形成されており、バックル部３０ｂが備えられている。刈刃ハウジング１１の天井部に背の低い縦壁部１１ｅ，１１ｆが固定されており、刈刃ハウジング１１の縦壁部１１ｅに係合用のピン１１ｇか固定されて、刈刃ハウジング１１の縦壁部１１ｆに係合部１１ｈが固定されている。これにより、カバー３０の開口部３０ｃを刈刃ハウジング１１のピン１１ｇに係合させながら、カバー３０を刈刃ハウジング１１の縦壁部１１ｅ，１１ｆの位置に配置し、カバー３０のバックル部３０ｂを刈刃ハウジング１１の係合部１１ｈに係合させることにより、カバー３０を刈刃ハウジング１１の天井部に固定する。
【００２７】
［３］
次に、刈刃ハウジング１１の排出口１１ｃに配置される出口ダクト３１及びダクト３３について説明する。
図７〜図１１に示すように、出口ダクト３１及び出口ダクト３１から延出される円筒状のダクト３３が一体的に形成されている。刈刃ハウジング１１の排出口１１ｃに接続されるように（図６及び図７参照）、出口ダクト３１は側面視で長方形状に形成され、平面状の天井部３１ａが形成されており、ダクト３３に向うのに従って細く絞られてダクト３３に接続されている。
【００２８】
図７〜図１１に示すように、出口ダクト３１の上部とダクト３３の上部との間が開放されており、出口ダクト３１の天井部３１ａに平面視で半円状の壁部３４が接続されて、壁部３４により平面視で半円状の開口部３５が形成され、開口部３５の外周部に平板状の受け板部３９が形成されている。ダクト３３の開放部分に正面視で長方形状のフランジ部３６が形成され、フランジ部３６により正面視で長方形状の開口部３７が形成されており、開口部３５の後部と開口部３７の下部とが接続された状態となっている。
【００２９】
図７〜図１１に示すように、出口ダクト３１の天井部３１ａにおいて、出口ダクト３１の天井部３１ａにおける壁部３４から離れた部分３１ｂから壁部３４に向って、斜め上方に向って天井部３８ａが延出されており、天井部３８ａの下側が開放されて、斜め通路３８が形成されている。斜め通路３８の天井部３８ａは側面視の断面において直線状であり（図６及び図１１参照）、正面視の断面において上側に凸の円弧状である（図８参照）。図７に示すように、出口ダクト３１が刈刃ハウジング１１の排出口１１ｃに接続された状態において、斜め通路３８が壁部３４から刈刃ハウジング１１の前壁部１１ｄに向って延出された状態となっており、出口ダクト３１の天井部３１ａにおける壁部３４から離れた部分３１ｂが、刈刃ハウジング１１の前壁部１１ｄ側に位置した状態となっている。
【００３０】
図４，５，６に示すように、平面視でコ字状の支持フレーム４０が備えられて、支持フレーム４０に出口ダクト３１及びダクト３３が連結されており、支持フレーム４０の前側の端部にボス部４０ａが固定されている。刈刃ハウジング１１の右横側部の前部にブラケット１１ｉが固定され、刈刃ハウジング１１の右横側部の後部の車輪１５のブラケット１５ａにボス部４１が固定されている。
【００３１】
これにより、図４，５，６に示すように、出口ダクト３１を刈刃ハウジング１１の排出口１１ｃに接続して、支持フレーム４０のボス部４０ａを刈刃ハウジング１１のブラケット１１ｉにピン５８で連結し、支持フレーム４０のボス部４０ａとは反対側の部分をボス部４１にピン５８で連結することにより、出口ダクト３１及びダクト３３を刈刃ハウジング１１に連結することができるのであり、ピン５８を取り外すことにより出口ダクト３１及びダクト３３を刈刃ハウジング１１から取り外すことができる。出口ダクト３１及びダクト３３を刈刃ハウジング１１に連結した状態において、支持フレーム４０が出口ダクト３１及びダクト３３の保護フレームになるのであり、図２に示すように、ダクト３３と集草部７の上部とに亘って可撓性のダクト４６が接続される。
【００３２】
［４］
次に、ブロア３２について説明する。
図４，５，６に示すように、平面視円形状で一部に切欠き部が形成されたブロアケース４２、ブロアケース４２に回転自在に支持された駆動軸４３、駆動軸４３に固定された円盤部材４４、駆動軸４３及び円盤部材４４に固定された４枚の羽根部材４５等を備えて、ブロア３２が構成されている。出口ダクト３１及びダクト３３に対して、ブロアケース４２の下部が受け板部３９に連結され、ブロアケース４２の切欠き部がフランジ部３６に連結されており、円盤部材４４及び羽根部材４５が開口部３５，３７に臨んでいる（図８〜図１１参照）。
【００３３】
図３，４，５に示すように、支持フレーム４０に固定されたブラケット４７にボス部４８が固定され、ボス部４８に中継軸４９が回転自在に支持に支持されており、中継軸４９の上部及び下部にプーリー４９ａ，４９ｂが固定されている。モーア３において、刈刃１４の駆動軸１４ａにおけるプーリー１４ｂの上側部分にプーリー１４ｃが固定され、刈刃１４のプーリー１４ｃと中継軸４９のプーリー４９ａとに亘って伝動ベルト５０が巻回されており、ブラケット４７に揺動自在に支持されたテンションアーム５１にテンションプーリー５２が回転自在に支持され、テンションアーム５１に接続されたバネ５３により、テンションプーリー５２が伝動ベルト５０に押圧されている。
【００３４】
図３，４，５に示すように、ブロア３２において、駆動軸４３の上部にプーリー４３ａが固定されて、中継軸４９のプーリー４９ｂと駆動軸４３のプーリー４３ａとに亘って伝動ベルト５４が巻回されている。ブラケット４７に揺動自在に支持されたテンションアーム５５にテンションプーリー５６が回転自在に支持され、テンションアーム５５に接続されたバネ５７により、テンションプーリー５６が伝動ベルト５４に押圧されている。
【００３５】
これにより、図３及び図４に示すように、刈刃１４の駆動軸１４ａの動力が、刈刃１４のプーリー１４ｃ、伝動ベルト５０、中継軸４９のプーリー４９ａ，４９ｂ、伝動ベルト５４及び駆動軸４３のプーリー４３ａを介して、駆動軸４３に伝達されて、円盤部材４４及び羽根部材４５が矢印Ｙ２（図４の紙面時計方向）に回転駆動される。円盤部材４４及び羽根部材４５が矢印Ｙ２（図４の紙面時計方向）に回転駆動されることによって、開口部３５の下側付近の空気が円盤部材４４及び羽根部材４５に向って上方に吸引され、円盤部材４４及び羽根部材４５により開口部３７からダクト３３に向って風が吹き出されるような状態となる（図５〜図１１参照）。
【００３６】
以上の構造によって図３及び図４に示すように、刈刃１２，１３，１４が矢印Ｙ１（図３の紙面時計方向）に回転駆動されることにより、刈刃１２，１３，１４によって刈り取られた刈り草が、刈刃ハウジング１１の前壁部１１ｄ（前バッフル５９）に沿って刈刃ハウジング１１の排出口１１ｃから出口ダクト３１に排出される。出口ダクト３１に排出された刈り草において上方の刈り草は、出口ダクト３１の天井部３１ａに沿って移動して、出口ダクト３１の天井部３１ａにおける壁部３４から離れた部分３１ｂに達し、外れること少なく斜め通路３８（天井部３８ａ）に入り込む（図４の矢印Ｙ３参照）。
【００３７】
そして図５〜図１１に示すように、上方の刈り草は、比較的緩やかな角度で上方に向きを変えながら、出口ダクト３１の天井部３１ａから斜め通路３８（天井部３８ａ）に沿って失速せずに移動し、比較的緩やかな角度で上方に向きを変えながら、斜め通路３８（天井部３８ａ）から壁部３４に沿って失速せずに移動して、開口部３５から円盤部材４４及び羽根部材４５に吸引されるのであり、円盤部材４４及び羽根部材４５により開口部３７からダクト３３に向って吹き出される風と一緒に、上方の刈り草がダクト３３，４６を通って集草部７に搬送される。
【００３８】
図５〜図１１に示すように、前述のように出口ダクト３１に排出された刈り草において下方の刈り草は、出口ダクト３１の下部及びダクト３３の下部に沿って移動し、円盤部材４４及び羽根部材４５により開口部３７からダクト３３に向って吹き出される刈り草及び風と一緒に、ダクト３３，４６を通って集草部７に搬送される。
【００３９】
［発明の実施の第１別形態］
前述の［発明を実施するための最良の形態］の図６及び図１１に示す出口ダクト３１及びダクト３３において、斜め通路３８の天井部３８ａを側面視の断面において直線状に構成するのではなく、側面視の断面において下側に凸の円弧状に構成してもよい。斜め通路３８の天井部３８ａを、正面視の断面において上側に凸の円弧状に構成するのではなく、正面視の断面において長方形状（例えば図８，９，１０に示すフランジ３６の形状）に構成してもよい。斜め通路３８を開口部３５に直接につなげるように構成してもよい（斜め通路３８の部分において壁部３４が殆ど無い状態）。
【００４０】
［発明の実施の第２別形態］
前述の［発明を実施するための最良の形態］［発明の実施の第１別形態］において、斜め通路３８を、出口ダクト３１の天井部３１ａに部分的に形成するのではなく、開口部３５に対して壁部３４の全ての部分に斜め通路３８を形成してもよい。モーア３に３枚の刈刃１２，１３，１４を備えるのではなく、モーア３に２枚の刈刃を備えるように構成してもよく、前バッフル５９を備えなくてもよい。
刈刃ハウジング１１の左横側部に排出口１１ｃを形成し、刈刃ハウジング１１の左横側部に出口ダクト３１及びダクト３３、ブロア３２を備えるように構成してもよい。このように構成すると、刈刃１２，１３，１４及びブロア３２（円盤部材４４及び羽根部材４５）の回転方向を矢印Ｙ１，Ｙ２とは逆向きに設定する。
本発明は、操縦ハンドルにより前輪１を操向操作する型式の草刈り機（後２輪駆動型式及び４輪駆動型式）や、前輪１の前側にモーア３を支持した草刈り機にも適用できる。
【図面の簡単な説明】
【００４１】
【図１】草刈り機の全体側面図
【図２】草刈り機の全体平面図
【図３】モーア及びブロアの全体平面図
【図４】ブロアの付近の横断平面図
【図５】刈刃ハウジングの排出口及びブロアの付近の縦断側面図
【図６】刈刃ハウジングの排出口及びブロア、出口ダクトの付近の縦断側面図
【図７】出口ダクトの横断平面図
【図８】出口ダクトの縦断正面図
【図９】出口ダクト及びダクトの斜め前側から見た斜視図
【図１０】出口ダクト及びダクトの斜め前上側から見た斜視図
【図１１】出口ダクト及びダクトの側面図
【図１２】モーアの中央付近の縦断側面図
【図１３】モーアの前壁部及び吹き出し防止部材を示す分解斜視図
【図１４】モーアの左側のカバーの付近の平面図
【図１５】（イ）カバーをモーアに固定した状態を示す側面図、（ロ）カバーをモーアから取り外した状態を示す側面図
【符号の説明】
【００４２】
７                集草部
１１              刈刃ハウジング
１１ｃ            刈刃ハウジングの排出口
１１ｄ            刈刃ハフジングの前壁部
１２，１３，１４  刈刃
３１              出口ダクト
３１ａ            出口ダクトの天井部
３１ｂ            出口ダクトの天井部における壁部から離れた部分
３２              ブロア
３４              壁部
３８              斜め通路
３８ａ            斜め通路の天井部
【図１】
2008092894.tif 000003
【図２】
2008092894.tif 000004
【図３】
2008092894.tif 000005
【図４】
2008092894.tif 000006
【図５】
2008092894.tif 000007
【図６】
2008092894.tif 000008
【図７】
2008092894.tif 000009
【図８】
2008092894.tif 000010
【図９】
2008092894.tif 000011
【図１０】
2008092894.tif 000012
【図１１】
2008092894.tif 000013
【図１２】
2008092894.tif 000014
【図１３】
2008092894.tif 000015
【図１４】
2008092894.tif 000016
【図１５】
2008092894.tif 000017